(57)【特許請求の範囲】
【請求項１】
円形のフランジと、フランジと同軸状態で形成された軸部と、フランジの軸部側の密着面に形成された溶着用突起によって構成され、軸部には、フランジに連続している円筒面を備えた挿入ガイド部と、挿入ガイド部に連続している雄ねじ部が形成され、挿入ガイド部の直径が雄ねじ部の直径よりも大きく設定されているプロジェクションボルトが溶接の対象とされており、
電極本体の端面から突出し鋼板部品の下孔に貫通する断面円形のガイドピンが金属材料またはセラミック材料などの耐熱硬質材料で構成され、電極本体のガイド孔に摺動できる状態で嵌め込まれ、ガイドピンが挿入された状態でガイドピンと一体化されている断面円形の摺動部が合成樹脂材料で構成され、摺動部の外周面に冷却空気の空気通路が形成され、摺動部の端面とガイド孔の内端面が密着したり離れたりして冷却空気の断続を行うように構成され、ガイドピンは軸部が挿入される受入孔が形成されたパイプ状の中空形状とされ、受入孔の内径が、受入孔の内面と挿入ガイド部の円筒面との間の隙間が実質的に存在しないで、受入孔の内面に挿入ガイド部の円筒面が摺動するように設定された電気抵抗溶接電極を準備し、
受入孔にプロジェクションボルトをつぎつぎと差し込む連続した溶接の加熱サイクルにおいて、高温のガイドピンから、受入孔に挿入されたプロジェクションボルトの常温の挿入ガイド部への熱伝達を、溶接毎に行うことを特徴とする電気抵抗溶接電極におけるガイドピンの冷却方法。
【発明の詳細な説明】
【技術分野】
【０００１】  この発明は、円形のフランジと、フランジと同軸状態で形成された軸部と、フランジの軸部側の密着面に形成された溶着用突起によって構成され、軸部には、フランジに連続している円筒面を備えた挿入ガイド部と、挿入ガイド部に連続している雄ねじ部が形成され、挿入ガイド部の直径が雄ねじ部の直径よりも大きく設定されているプロジェクションボルトを溶接の対象とした電気抵抗溶接電極におけるガイドピンの冷却方法に関している。
【背景技術】
【０００２】  特公平０７−０６７６２４号公報、特許第２９０３１４９号公報および特開２０１５−０５１４５７号公報には、円形のフランジと、フランジと同軸状態で形成された雄ねじ部と、フランジの雄ねじ部側の密着面に形成された溶着用突起によって構成されたプロジェクションボルトを、鋼板部品の下孔から突き出ている中空のガイドピンに差し込んで鋼板部品に溶接することが記載されている。
【先行技術文献】
【特許文献】
【０００３】
【特許文献１】特公平０７−０６７６２４号公報
【特許文献２】特許第２９０３１４９号公報
【特許文献３】特開２０１５−０５１４５７号公報
【発明の概要】
【発明が解決しようとする課題】
【０００４】  上記各特許文献に記載されている技術の問題点を、図３（Ｂ１）、（Ｂ２）にしたがって説明する。なお、これらの図は、鋼板部品の下孔、中空のガイドピン、雄ねじ部およびフランジなどの相対位置関係を示すもので、理解しやすくするために、直径差による空隙を誇張して図示してある。また、見やすくするために、ガイドピンのハッチング図示は行っていない。【０００５】  鋼板部品に開けられた下孔５０に電極のガイドピン５１が相対的に貫通し、電極に対する鋼板部品の相対位置が設定されている。ガイドピン５１には、受入孔５２が形成されて中空形状となっている。この受入孔５２にプロジェクションボルトの軸部である雄ねじ部５３が挿入してある。雄ねじ部５３と同軸状態で円形のフランジ５４が設けてある。雄ねじ部５３とフランジ５４の中心軸線がＯ１−Ｏ１であり、下孔５０の中心軸線がＯ２−Ｏ２である。また、３個の溶着用突起５５が１２０度間隔で形成されている。【０００６】  雄ねじ部５３の直径よりも受入孔５２の内径の方が大きく設定され、ガイドピン５１の外形よりも下孔５０の内径の方が大きく設定されている。したがって、雄ねじ部５３やガイドピン５１には、いずれかの方に偏心した片寄りが発生する。上記のような寸法の大小関係の下で図３（Ｂ１）に示すように、ガイドピン５１と雄ねじ部５３が同図の下側に片寄った場合には、中心軸線Ｏ２−Ｏ２に対して中心軸線Ｏ１−Ｏ１が最大のずれ寸法を呈することとなる。このような場合、下孔５０の内縁とフランジ５４の外形線との間隔Ｃ１、すなわち鋼板部品に対するフランジ５４の密着幅が図示のように著しく狭くなり、溶着用突起５５が間隔Ｃ１から中央側へ外れる恐れがある。つまり、溶着用突起５５が鋼板部品の表面に溶着しないこととなる。【０００７】  これを回避するために、フランジ５４の直径Ｄ１を大きく設定し、ガイドピン５１や雄ねじ部５３がどの方向にずれても溶着用突起の溶着を確保する必要があり、このため直径Ｄ１を予め大きく設定し、過大フランジによるスペースの増大や、プロジェクションボルト部品の質量増大をまねき、小型化、軽量化などの面で不経済である。【０００８】  そして、プロジェクションボルトが溶接された鋼板部品を電極から外すと、図３（Ｂ２）に示すように、雄ねじ部５３が下孔５０に対して大幅にずれることとなり、ずれ寸法Ｃ２が最大値になる。つまり、下孔５０と雄ねじ部５３が同心状態となるのが最良であるが、これとは逆に最大のずれ寸法Ｃ２が形成されることとなり、鋼板部品に対するボルトの溶接位置が大きくずれて、溶接精度が低下する。【０００９】  さらに重要視されるのは、ガイドピン５１の過熱問題である。雄ねじ部５３を受入孔５２に円滑に挿入するために、受入孔５２の内径に対して、雄ねじ部５３の直径を大幅に小さく設定してある。このような寸法差によって図３（Ｂ１）に示すように、雄ねじ部５３と受入孔５２の内面との間に空隙が存置され、このために高温のガイドピン５１から雄ねじ部５３への熱伝達が不十分になり、ガイドピン５１が過熱状態になって耐久性が低下する、という問題がある。そして、雄ねじ部５３はねじ形状の山谷が連続しているので、山のエッジ線を受入孔５２の内面に極力接近させても、十分な熱伝達がなされない、という問題がある。【００１０】  本発明による電気抵抗溶接電極におけるガイドピンの冷却方法は、上記の問題点を解決するために提供されたもので、鋼板部品の下孔に対する雄ねじ部の偏心量を最小化し、ボルトの小型化や軽量化を図り、しかもガイドピンの過熱防止と耐久性向上を実現することを目的とする。
【課題を解決するための手段】
【００１１】  請求項１記載の発明は、
円形のフランジと、フランジと同軸状態で形成された軸部と、フランジの軸部側の密着面に形成された溶着用突起によって構成され、軸部には、フランジに連続している円筒面を備えた挿入ガイド部と、挿入ガイド部に連続している雄ねじ部が形成され、挿入ガイド部の直径が雄ねじ部の直径よりも大きく設定されているプロジェクションボルトが溶接の対象とされており、
電極本体の端面から突出し鋼板部品の下孔に貫通する断面円形のガイドピンが金属材料またはセラミック材料などの耐熱硬質材料で構成され、電極本体のガイド孔に摺動できる状態で嵌め込まれ、ガイドピンが挿入された状態でガイドピンと一体化されている断面円形の摺動部が合成樹脂材料で構成され、摺動部の外周面に冷却空気の空気通路が形成され、摺動部の端面とガイド孔の内端面が密着したり離れたりして冷却空気の断続を行うように構成され、ガイドピンは軸部が挿入される受入孔が形成されたパイプ状の中空形状とされ、受入孔の内径が、受入孔の内面と挿入ガイド部の円筒面との間の隙間が実質的に存在しないで、受入孔の内面に挿入ガイド部の円筒面が摺動するように設定された電気抵抗溶接電極を準備し、
受入孔にプロジェクションボルトをつぎつぎと差し込む連続した溶接の加熱サイクルにおいて、高温のガイドピンから、受入孔に挿入されたプロジェクションボルトの常温の挿入ガイド部への熱伝達を、溶接毎に行うことを特徴とする電気抵抗溶接電極におけるガイドピンの冷却方法である。
【発明の効果】
【００１２】  鋼板部品の下孔の内径とガイドピンの外径の寸法差をできるだけ小さく設定して、鋼板部品と電極本体との相対位置を正確に求めることや、受入孔の内径と軸部の外径の寸法差をできるだけ小さく設定することにより、軸部と下孔の相対位置、すなわちボルトと鋼板部品の相対位置を、偏心量を極力小さくして正確に求める必要がある。そして、挿入ガイド部の外筒面と鋼板部品の下孔との間隔を小さくして、下孔内における挿入ガイド部の偏心量を少なくすることが、溶接精度向上において重要である。このような要請のため、中空形状のガイドピンの肉厚をできるだけ薄肉化することが求められる。【００１３】  このような状況下において、受入孔の内面と挿入ガイド部の円筒面との隙間が、実質的に存在することなく受入孔内面から挿入ガイド部へ熱伝達が行われやすく設定されているので、連続した溶接により加熱サイクルが増大しても、高温のガイドピン薄肉部から、常温で挿入された挿入ガイド部への熱流が促進され、つぎつぎと差し込まれる挿入ガイド部による冷却効果が向上し、薄肉部分の耐久性向上が良好になる。【００１４】  ガイドピンの薄肉部分の外周面には鋼板部品の下孔内面が、こつこつと当たったり擦れたりして高温下で痛みやすいのであるが、冷却促進によってこのような弊害が大幅に軽減される。換言すると、受入孔内面と挿入ガイド部の円筒面との接触は、幾何学的には線接触であるが、両面の間隔は実質的に密着している領域が大きく設定されるので、ガイドピンから挿入ガイド部への熱流が促進される。上記の密着している領域以外であっても、両面間の空隙が著しく微少なので、やはり積極的な熱流が形成される。【００１５】  受入孔の内面と挿入ガイド部の円筒面との隙間が、実質的に存在することなく受入孔内面から挿入ガイド部へ熱伝達が行われやすく設定されているので、受入孔の直径方向に挿入ガイド部がずれる寸法が最小化される。そのため、下孔の内径に対するフランジの直径をできるだけ小さく設定することができて、ボルトの小型化や軽量化の点で効果的である。すなわち、図３（Ｂ１）における受入孔５２の内径と、雄ねじ部５３の外径の寸法差が著しく小さくなるので、上記のようにフランジの直径を小さくすることが可能となる。【００１６】  受入孔の内面と挿入ガイド部の円筒面の対向関係は、受入孔内面と雄ねじ部との対向関係ではないので、熱の授受が十分に果たされて、ガイドピンの冷却が効果的になされる。
【図面の簡単な説明】
【００１９】
【図１】電極の各部の断面図である。
【図２】電極要部の拡大断面図である。
【図３】各部の径寸法を示す平面図である。
【図４】ボルトの挿入過渡期を示す断面図である。
【発明を実施するための形態】
【００２０】  つぎに、本発明の電気抵抗溶接電極におけるガイドピンの冷却方法を実施するための形態を説明する。
【実施例】
【００２１】  図１、図２、図３（Ａ１）および（Ａ２）、図４は、本発明の実施例を示す。【００２２】  最初に、電極本体について説明する。【００２３】  銅合金製の電極本体１は、円筒状の形状であり、静止部材１１に差し込まれる固定部２と、鋼板部品３が載置されるキャップ部４がねじ部５において結合されている。電極本体１には断面円形のガイド孔６が形成され、このガイド孔６は少なくとも大径孔７とキャップ部４の中央部に開口する小径孔８によって構成されている。【００２４】  固定部２の下部にテーパ部９が形成され、このテーパ部９が静止部材１１に設けたテーパ孔に嵌入されるようになっている。固定部２の側部に圧縮空気をガイド孔６に導入する通気口１０が設けてある。【００２５】  つぎに、摺動部について説明する。【００２６】  ガイドピン１２は、ステンレス鋼のような金属材料またはセラミック材料等の耐熱硬質材料で構成されている。摺動部１３は、耐熱性に優れた絶縁性合成樹脂、例えば、ポリテトラフルオロエチレン（商品名：テフロン・登録商標）によって構成されている。ガイドピン１２は、摺動部１３に挿入された状態で一体化されている。ガイドピン１２と摺動部１３は、いずれも断面円形であり、ガイドピン１２は鋼板部品３の下孔１４を相対的に貫通して鋼板部品３の位置決め機能を果たすようになっている。ガイドピン１２は、受入孔３１が形成されたパイプ状の中空形状とされている。【００２７】  溶接の対象とされる鉄製のプロジェクションボルト３２は、円形のフランジ３３と、フランジ３３と同軸状態で形成された軸部３４と、フランジ３３の軸部３４側の密着面に形成された溶着用突起３５によって構成され、軸部３４には、フランジ３３に連続している円筒面３６を備えた挿入ガイド部３７と、挿入ガイド部３７に連続している雄ねじ部３８が形成され、挿入ガイド部３７の直径が雄ねじ部３８の直径よりも大きく設定されている。挿入ガイド部３７と雄ねじ部３８の間は、テーパ部３９で滑らかに連続している。なお、以下の説明において、プロジェクションボルトを単にボルトと表現する場合もある。【００２８】  受入孔３１の内面と挿入ガイド部３７の円筒面３６との隙間が、実質的に存在することなく受入孔３１の内面から挿入ガイド部３７へ熱伝達が行われやすく設定されている。上記隙間は、受入孔３１の内面に挿入ガイド部３７の円筒面３６が擦れながら進退する、摺動状態である。【００２９】  ボルト３２の各部の寸法は、フランジ３３の厚さも含めたボルト３２の全長が２８ｍｍ、フランジ３３の直径が２０ｍｍ、軸部３４の全長が２５．８ｍｍ、挿入ガイド部３７の長さと円筒面３６の直径がそれぞれ５．５ｍｍと９．５ｍｍ、雄ねじ部３８の直径が８ｍｍである。一方、ガイドピン１２の各部の寸法は、ガイドピン１２の外径が１１．８ｍｍ、受入孔３１の内径は９．８ｍｍ、ガイドピン１２の肉厚は１ｍｍである。また、鋼板部品３の下孔１４の内径は１２．３ｍｍである。【００３０】  上記の寸法において図３（Ｂ１）に示したような位置ずれが生じた場合には、前記間隔Ｃ１は、３．４５ｍｍである。もし、位置ずれが発生しなければ、間隔Ｃ１は３．８５ｍｍである。【００３１】  電極本体１は、固定電極であり��それと同軸状態で可動電極２３が配置してある。なお、図１（Ａ）のＢ−Ｂ断面が同図の（Ｂ）図であり、Ｃ−Ｃ断面が同図の（Ｃ）図である。【００３２】  摺動部１３は、大径孔７内に実質的に隙間がなくて摺動できる状態で嵌め込んである。摺動部１３に挿入孔１７が開けられ、そこにガイドピン１２が圧入されている。ガイドピン１２の端部にこれと一体的にボルト２１が形成され、摺動部１３の底部材１８にボルト２１を貫通し、ワッシャ１９を組み付けてロックナット２０で締め付けてある。なお、摺動部１３は、可動電極２３が動作して溶接電流が通電されたときに、電流はボルト３２の溶着用突起３５から鋼板部品３にのみ流れるように、絶縁機能を果たしている。【００３３】  摺動部１３の端部に端面２４が形成され、この端面２４が大径孔７の内端面２５に密着するようになっている。端面２４と内端面２５は、ガイドピン１２の軸線（電極本体１の中心軸線）に直交する平面の状態で、しかもガイドピン１２の軸心を環状に包囲する環状面とされている。端面２４と内端面２５が密着したり、離れたりして冷却空気の断続を行うもので、この密着箇所が開閉弁の役割を果たしている。【００３４】  ガイドピン１２と小径孔８との間に圧縮空気が通過する隙間２２が形成してある。可動電極２３の進出によってガイドピン１２が押し下げられると、端面２４が内端面２５から離れ、空気流通の空隙が形成される。上記のように、端面２４と内端面２５の密着部分が開閉弁の機能を果たしている。通気口１０から入った圧縮空気は、空気通路２６、端面２４と内端面２５の間、隙間２２などを通ってボルト３２の溶着部の冷却や、スパッタの進入防止がなされる。【００３５】  摺動部１３の外周面に、冷却空気の空気通路２６が電極本体１の中心軸線方向に形成してある。空気通路２６としては種々なものが採用できる。ここでは、図１（Ａ）や（Ｂ）に示すように、摺動部１３の外周面に平面部２７を２つ対向させて形成して空気通路２６が構成してある。平面部２７に換えて、摺動部１３の外周面に中心軸線方向の凹溝を複数形成することも可能である。【００３６】  ワッシャ１９とガイド孔６の内底面の間に圧縮コイルスプリング２９が嵌め込まれており、その張力が摺動部１３に作用して端面２４が内端面２５に密着している。通気口１０から供給された冷却空気は、空気通路２６に達しているが、上記密着によって通気が禁止されている。なお、符号３０は、ガイド孔６の内底面に嵌め込んだ絶縁シートである。【００３７】  つぎに、受入孔と挿入ガイド部の組み合わせ関係を説明する。【００３８】  上記のように、受入孔３１の内面と挿入ガイド部３７の円筒面３６との隙間が、実質的に存在することなく受入孔３１の内面から挿入ガイド部３７へ熱伝達が行われやすく設定されている。このような隙間は、前記挿入ガイド部３７の直径が９．５ｍｍ、受入孔３１の内径が９．８ｍｍによって実現している。受入孔３１の内面と挿入ガイド部３７の円筒面３６との接触は、幾何学的には線接触であるが、両面の間隔は実質的に密着している領域が大きく設定される。このような実質的密着の領域は、図２（Ｂ）に示す角度θの範囲である。このような実質的密着により、ガイドピン１２から挿���ガイド部３７への熱流が促進される。上記の密着している領域以外であっても、両面間の空隙が著しく微少なので、やはり積極的な熱流が形成される。【００３９】  以上に説明した実施例の作用効果は、つぎのとおりである。【００４０】  鋼板部品３の下孔１４の内径とガイドピン１２の外径の寸法差をできるだけ小さく設定して、鋼板部品３と電極本体１との相対位置を正確に求めることや、受入孔３１の内径と軸部３４の外径の寸法差をできるだけ小さく設定することにより、軸部３４と下孔１４の相対位置、すなわちボルト３２と鋼板部品３の相対位置を、偏心量を極力小さくして正確に求める必要がある。そして、挿入ガイド部３７の円筒面３６と鋼板部品３の下孔１４との間隔を小さくして、下孔１４内における挿入ガイド部３７の偏心量を少なくすることが、溶接精度向上において重要である。このような要請のため、中空形状のガイドピン１２の肉厚をできるだけ薄肉化することが求められる。【００４１】  このような状況下において、受入孔３１の内面と挿入ガイド部３７の円筒面３６との隙間が、実質的に存在することなく受入孔３１の内面から挿入ガイド部３７へ熱伝達が行われやすく設定されているので、連続した溶接により加熱サイクルが増大しても、高温のガイドピン薄肉部から、常温で挿入された挿入ガイド部３７への熱流が促進され、つぎつぎと差し込まれる挿入ガイド部３７による冷却効果が向上し、薄肉部分の耐久性向上が良好になる。【００４２】  ガイドピン１２の薄肉部分の外周面には鋼板部品３の下孔１４の内面が、こつこつと当たったり擦れたりして高温下での痛みが進行しやすいのであるが、冷却促進によってこのような弊害が大幅に軽減される。換言すると、受入孔３１の内面と挿入ガイド部３７の円筒面３６との接触は、幾何学的には線接触であるが、両面の間隔は実質的に密着している領域が大きく設定されるので、ガイドピン１２から挿入ガイド部３７への熱流が促進される。上記の密着している領域以外であっても、両面間の空隙が著しく微少なので、やはり積極的な熱流が形成される。【００４３】  受入孔３１の内面と挿入ガイド部３７の円筒面３６との隙間が、実質的に存在することなく受入孔３１の内面から挿入ガイド部３７へ熱伝達が行われやすく設定されているので、受入孔３１の直径方向に挿入ガイド部３７がずれる寸法が最小化される。そのため、下孔１４の内径に対するフランジ３３の直径をできるだけ小さく設定することができて、ボルト３２の小型化や軽量化の点で効果的である。すなわち、図３（Ｂ１）における受入孔５２の内径と、雄ねじ部５３の外径の寸法差が著しく小さくなるので、上記のようにフランジ３３の直径を小さくすることが可能となる。【００４４】  図３（Ａ１）、（Ａ２）と同図（Ｂ１）、（Ｂ２）の対比から明らかなように、フランジ３３の直径Ｄ１は、（Ａ１）、（Ａ２）の方が（Ｂ１）、（Ｂ２）よりも小さくなっていることが認められる。これは上記のように、挿入ガイド部３７が受入孔３１の直径方向にずれる寸法が最小化されることによって達成されている。【００４５】  受入孔３１の内面と挿入ガイド部３７の円筒面３６の対向関係は、受入孔内面と雄ねじ部との対向関係ではないので、熱の授受が��分に果たされて、ガイドピン１２の冷却が効果的になされる。【００４６】  図４に示すように、斜め方向に進退する供給ロッド４１の先端に保持具４２を設け、この保持具４２にボルト３２を保持して、雄ねじ部３８を斜め方向から受入孔３１内へ円弧状に移動させながら差し込んで供給する。この供給の際に、雄ねじ部３８のねじ山が受入孔３１の開口部の内縁角部に擦りつけられるので、この部分、すなわちガイドピン１２の先端部内側が摩耗しやすくなる。ボルト３２とガイドピン１２の位置関係は、挿入ガイド部３７と受入孔３１の接近した関係で設定されるので、雄ねじ部３８の直径を小さくして上記先端部内側に対する擦れを軽減し、ガイドピン１２の上記摩耗を最小化することが可能となる。
【産業上の利用可能性】
【００４８】  上述のように本発明により、鋼板部品の下孔に対する雄ねじ部の偏心量を最小化し、ボルトの小型化や軽量化を図り、しかもガイドピンの過熱防止と耐久性向上を実現する。したがって、自動車の車体溶接工程や、家庭電化製品の板金溶接工程などの広い産業分野で利用できる。
【符号の説明】
【００４９】  １    電極本体
３    鋼板部品
６    ガイド孔
１２    ガイドピン
１３    摺動部
１４    下孔
２４    端面
２５    内端面
２６    空気通路
３１    受入孔
３２    プロジェクションボルト
３３    フランジ
３４    軸部
３５    溶着用突起
３６    円筒面
３７    挿入ガイド部
３８    雄ねじ部
θ      密着領域
Ｄ１    フランジの直径
【図１】
0006624365.tif 000002
【図２】
0006624365.tif 000003
【図３】
0006624365.tif 000004
【図４】
0006624365.tif 000005